(57)【要約】【課題】ベッド移動履歴をナースコール親機のモニタ画面上に表示するトレース機能を備えたナースコールシステムにおいて、指定された患者の病棟内位置を他の区域と区別して強調表示することで、感染症患者等の所在を容易に確認できるようにする。【解決手段】患者ＩＤ、ベッドＩＤおよび廊下灯ＩＤを相互に関連付けた患者情報を制御機１７の記憶部１７１に時系列的に記憶する。ナースコール親機１４は、患者の病棟内位置をレイアウト画面上に表示する第１モニタ１４１と、日時および患者を指定してその患者に関連する患者情報を記憶部１７１から検索する検索部１４９と、親機ＣＰＵ１５０とを備える。親機ＣＰＵ１５０は、検索された患者情報に基づいて、指定された日時における指定された患者の病棟内位置を第１モニタ１４１のレイアウト画面上に強調表示させる。【選択図】図２
2017176630.tif 000002
【特許請求の範囲】
【請求項１】
患者が看護師を呼び出すナースコール子機と、患者の呼び出しを看護師に知らせるナースコール親機と、患者ＩＤおよびベッドＩＤが関連付けられた患者情報を時系列的に記憶する記憶部を備えた制御機とを含み、
前記ナースコール親機が、前記患者情報に基づいて患者の病棟内位置を示すレイアウト画面を表示するモニタと、日時および患者を指定して該患者に関連する前記患者情報を前記制御機の記憶部から検索する検索部と、検索された患者情報に基づいて前記指定された日時における指定された患者の病棟内位置を前記モニタのレイアウト画面上に強調表示させる制御を行う制御部とを備えたことを特徴とするナースコールシステム。
【請求項２】
前記記憶部が、前記患者情報を廊下灯ＩＤに関連付けて記憶し、前記制御部が、検索された患者情報に関連する廊下灯ＩＤに基づいて、前記指定された日時に指定された患者が在室する病室の病棟内位置を前記モニタのレイアウト画面上に強調表示させる制御を行う請求項１記載のナースコールシステム。
【請求項３】
前記検索部が、前記患者情報を他病棟に設置された制御機の記憶部から検索し、前記制御部が、前記指定された日時に指定された患者が在室する病室の前記他病棟内における位置を前記モニタのレイアウト画面上に強調表示させる制御を行う請求項２記載のナースコールシステム。
【請求項４】
前記検索部が、指定された患者の現在の患者情報を検索するための操作手段を備え、前記制御部が、検索された患者情報に基づいて前記指定された患者の病棟内における現在位置を前記モニタのレイアウト画面上に強調表示させる制御を行う請求項１〜３の何れか一項に記載のナースコールシステム。
【発明の詳細な説明】
【技術分野】
【０００１】
本発明は、病院や介護施設等（以下、病院と呼ぶ）において、患者や被介護者等（以下、患者と呼ぶ）のベッド移動履歴を親機モニタのレイアウト画面上に表示するトレース機能を備えたナースコールシステムに関する。
【背景技術】
【０００２】
従来、感染症にかかった患者のベッド移動履歴を所定時間単位でさかのぼって表示するナースコールシステムが知られている。また、感染症患者に限らず、感染症発症時に同室だった患者の移動履歴を表示可能な技術も知られている。特許文献１には、患者の入院から退院までのベッドＩＤを患者ＩＤに関連付けて時系列的に管理し、患者の導線履歴情報を親機モニタのフロア病床レイアウト画面上に表示する技術が提案されている。
【先行技術文献】
【特許文献】
【０００３】
【特許文献１】特開２０１４−８３３５３号公報
【発明の概要】
【発明が解決しようとする課題】
【０００４】
ところが、従来のナースコールシステムによると、１フロアに多数のベッドをレイアウト表示するナースコール親機の場合、感染症患者または同室患者が同じフロアのどこへ移動したのか、あるいは、他のフロアのどの病室へ移動したのかを確認することが容易ではなかった。特に、彼らが別の病棟へ移った場合に、移る前の病棟のナースコール親機によっては、別病棟内における彼らの移動履歴を表示させることができなかった。また、履歴ではなく、今現在その患者がどこにいるのかを直ちに把握することもできなかった。
【０００５】
そこで、本発明の目的は、指定された患者の病棟内位置を容易に確認することができるナースコールシステムを提供することにある。本発明の別の目的は、指定患者の別病棟内の位置および／または現在位置を簡単かつ迅速に確認することができるナースコールシステムを提供することにある。
【課題を解決するための手段】
【０００６】
上記課題を解決するために、本発明のナースコールシステムは、患者が看護師を呼び出すナースコール子機と、患者の呼び出しを看護師に知らせるナースコール親機と、患者ＩＤおよびベッドＩＤが関連付けられた患者情報を時系列的に記憶する記憶部を備えた制御機とを含み、ナースコール親機が、患者情報に基づいて患者の病棟内位置を示すレイアウト画面を表示するモニタと、日時および患者を指定して該患者の患者情報を制御機の記憶部から検索する検索部と、検索された患者情報に基づいて指定された日時における指定された患者の病棟内位置をモニタのレイアウト画面上に強調表示させる制御を行う制御部とを備えたことを特徴とする。
【０００７】
本発明の好ましい実施形態では、制御機の記憶部が患者情報を廊下灯ＩＤに関連付けて記憶する。そして、ナースコール親機の制御部が、検索された患者情報に関連する廊下灯ＩＤに基づいて、指定された日時に指定された患者が在室する病室の病棟内位置をモニタのレイアウト画面上に強調表示させる制御を行う。
【０００８】
複数病棟の病院に適用されるナースコールシステムの場合は、患者の病棟間移動に備え、第１病棟のナースコール親機の検索部が、患者情報を第２病棟に設置された制御機の記憶部から検索する。そして、第１病棟のナースコール親機の制御部が、指定された日時に指定された患者が在室する病室の第２病棟内における位置をモニタのレイアウト画面上に強調表示させる制御を行う。
【０００９】
また、本発明のナースコールシステムは、患者の現在位置を即座に確認できるように、ナースコール親機の検索部が、指定された患者の現在の患者情報を検索するための操作手段を備え、ナースコール親機の制御部が、検索された患者情報に基づいて指定された患者の病棟内における現在位置をモニタのレイアウト画面上に強調表示させる制御を行うことを特徴とする。
【発明の効果】
【００１０】
本発明のナースコールシステムによれば、指定された患者の病棟内位置を親機モニタのレイアウト画面上に強調表示するので、指定された患者の所在を他の患者から区別して容易に確認することができるという効果がある。
【図面の簡単な説明】
【００１１】
【図１】本発明による一実施形態のナースコールシステムを示す全体図である。
【図２】ナースコール親機の構成を示すブロック図である。
【図３】ナースコール親機のレイアウト画面を示す正面図である。
【図４】検索画面が含まれたレイアウト画面を部分的に示す正面図である。
【図５】患者の病棟内位置が強調表示されたレイアウト画面を示す正面図である。
【図６】患者の移動先が強調表示されたレイアウト画面を示す正面図である。
【図７】患者の別病棟内位置が強調表示されたレイアウト画面を示す正面図である。
【図８】現在位置検索ボタンを備えた検索画面を示す正面図である。
【図９】強調表示の変更例を示すレイアウト画面の正面図である。
【発明を実施するための形態】
【００１２】
以下、本発明の一実施形態を図面に基づいて説明する。図１に示すナースコールシステム１は、第１病棟１１と第２病棟２１からなる病院に適用され、各病棟１１，２１に、患者が病室で看護師を呼び出すためのナースコール子機１２，２２と、病室前の廊下で患者からの呼び出しを表示する廊下灯１３，２３と、患者の呼び出しを看護師に知らせるためのナースコール親機１４，２４と、ナースコール親機１４，２４と共にナースセンターに設置されたサブディスプレイ１５，２５と、看護師や医師が携帯する無線携帯端末１６，２６と、病棟１１，２１内の各種ナースコール機器を全体的に制御する制御機１７，２７とを備えている。
【００１３】
ナースコール子機１２，２２、ナースコール親機１４，２４および制御機１７，２７はハブ１８，２８を介して院内の基幹伝送線２に接続されている。各病棟１０，２０に所属する無線携帯端末１６，２６は基地局３を介して交換機４に接続され、交換機４がハブ５を介して基幹伝送線２に接続されている。また、基幹伝送線２を介してナースコールサーバ６が病院のオーダリングシステム（図示略）に接続され、該システムから取得した患者情報や看護師情報を含む看護情報を各病棟１０，２０の制御機１７，２７に提供するようになっている。
【００１４】
図２に示すように、第１病棟１１のナースコール親機１４（第２病棟２１のナースコール親機２４も同様に構成される）には、通話用のハンドセットやマイク、スピーカ等を含む通話部１４０と、看護情報を表示する大型の第１モニタ１４１（図１参照）と、第１モニタ１４１に連係して看護情報を表示する小型の第２モニタ１４２とが設けられるとともに、ナースセンターの天井近くに設置されたサブディスプレイ１５が第３モニタとして接続され、看護情報を第１モニタ１４１に連係してそれよりも大型の画面に表示できるようになっている。第１モニタ１４１および第２モニタ１４２には、表示画面上で情報入力が可能なタッチパネル１４３，１４４が付設されている。
【００１５】
図３は、第１モニタ１４１および第２モニタ１４２の表示例を示す。ここでは、第１モニタ１４１にレイアウト画面１４５が表示され、第２モニタ１４２に呼出画面１４６が表示されている。レイアウト画面１４５には、ナースコール親機１４が設置されている病棟フロア内の複数の病室と、病室ごとのベッドレイアウト、ベッド番号、患者名などが表示され、これらの表示によって多数の患者の病棟内位置を個別に把握できるようになっている。そして、ナースコール子機１２からの呼び出しが発生すると、レイアウト画面１４５に呼出元の患者情報が拡大してポップアップ表示（１２０）されるとともに、第２モニタ１４２の呼出画面１４６に同様の患者情報が表示される。なお、レイアウト画面１４５より下側の表示領域には、呼出元患者の動画表示を含む各種情報が選択的に表示される。
【００１６】
図２に示すように、ナースコール親機１４には、さらに、キーボード１４７、プリンタ１４８、検索部１４９、親機ＣＰＵ１５０、親機インターフェース１５１が設けられている。親機インターフェース１５１はハブ１８（図１参照）を介して制御機１７に接続され、制御機１７がナースコールサーバ６から受信した患者情報および看護師情報等を記憶する記憶部１７１を備えている。患者情報には、各患者を識別するための患者ＩＤと、各患者が使用するベッドに付されたベッドＩＤと、そのベッドが設置されている病室を識別するための廊下灯ＩＤが含まれ、患者ＩＤ、ベッドＩＤおよび廊下灯ＩＤが相互に関連付けられて記憶部１７１に時系列的に記憶されている。そして、看護師や医師がレイアウト画面１４５外側のトレースボタン１５２（図３参照）を操作したときに、検索部１４９が患者情報を検索するための検索画面を第１モニタ１４１に表示させる。
【００１７】
図４に例示する検索画面１５３は、第１モニタ１４１のレイアウト画面１４５の上に重ねて表示される。この検索画面１５３には、患者名指定領域１５４、日付指定領域１５５、時刻指定領域１５６、検索開始ボタン１５７、検索結果表示領域１５８、指定した時刻よりも所定時間（例えば６時間）前の検索結果を呼び出す前の日時ボタン１５９、指定した時刻よりも所定時間（例えば６時間）後の検索結果を呼び出すための次の日時ボタン１６０等が配設されている。これらの領域またはボタンは、看護師や医師によりタッチパネル１４３，１４４またはキーボード１４７を用いて入力または操作される。そして、親機ＣＰＵ１５０は、検索された患者情報に基づいて、指定された日時における指定された患者の病棟内位置をその他の区域から区別して第１モニタ１４１のレイアウト画面１４５上に強調表示させる制御を行う。
【００１８】
例えば、図４に示す検索画面１５３において、患者名、日付および時刻が指定された後に検索開始ボタン１５７が操作されると、検索部１４９が該当する患者情報を制御機１７の記憶部１７１から呼び出し、指定された患者が指定された日時に使用していたベッド番号を検索結果表示領域１５８に表示させる。これと同時に、親機ＣＰＵ１５０は、図５に示すように、検索された患者情報に含まれている廊下灯ＩＤに基づいて、レイアウト画面１４５に、指定された日時に指定された患者が在室していた病室（２０５号室）が相対的に明るく強調表示（１３１）されるとともに、その他の病室や施設を含む区域が相対的に暗く表示されるように、第１モニタ１４１を制御する。また、親機ＣＰＵ１５０は、同じ病室の患者のうち指定された患者を他の患者と区別して強調表示（１３２）させるとともに、レイアウト画面１４５より下側の表示領域にベッド移動履歴画面１１０を表示させる。この履歴画面１１０には、指定日時における指定患者の病棟内位置と合せて同室の患者名が一覧表示される。
【００１９】
図４の検索画面１５３において、前の日時ボタン１５９が操作されると、一回の操作につき例えば６時間さかのぼった時刻の患者情報が記憶部１７１から呼び出されて検索結果表示領域１５８に順次表示されると同時に、図６に示すように、ベッド移動前に患者が在室していた同じ病棟の異なるフロアにある病室（１０３号室）がレイアウト画面１４５に相対的に明るく強調表示（１３３，１３４）され、その他の区域が相対的に暗く表示される。また、ベッド移動履歴表示画面１１０には、指定日時における指定患者および同室患者の病棟内位置と、それ以前または以後の指定患者の病棟内位置がスクロール可能に一覧表示される。さらに、検索画面１５３で次の日時ボタン１６０が操作されると、一回の操作につき例えば６時間進んだ時刻の患者情報が検索結果表示領域１５８に順次表示されるとともに、図７に示すように、ベッド移動後に患者が在室している第２病棟２１内の病室（３０５号室）が第１病棟１１に設置されたナースコール親機１４における第１モニタ１４１のレイアウト画面１４５上に強調表示（１３５，１３６）されると同時に、ベッド移動履歴表示画面１１０に、指定日時における指定患者および同室患者の病棟内位置と、それ以前の指定患者の病棟内位置が一覧表示される。
【００２０】
したがって、この実施形態のナースコールシステム１によれば、指定された患者の病棟内位置がナースコール親機１４のレイアウト画面１４５上に強調表示されるので、看護師や医師は所要の患者の位置を他の患者がいる区域から区別して一目瞭然と確認することができる。また、廊下灯ＩＤに関連付けられた患者情報に基づいて、指定患者が在室する病室の病棟内位置を強調表示するため、例えば感染症にかかっている患者のみならず、同室の他の患者の病棟内位置を容易に確認することもできる。さらに、制御機１７，２７同士の通信によって他病棟の記憶部１７１から患者情報が検索されるため、他病棟へ転出した患者または他病棟から転入した患者の病院内位置を容易に確認することもできる。
【００２１】
図８は、検索画面の変更例を示す。この検索画面１６３は、ナースコール親機１４の検索部１４９が、指定された患者の今現在の患者情報を検索するための操作手段として現在ボタン１６４を備えている。そして、この現在ボタン１６４が操作されたときには、親機ＣＰＵ１５０が、検索部１４９により検索された患者情報に基づいて指定された患者の第１病棟１１または第２病棟２１内における現在位置を第１モニタ１４１のレイアウト画面１４５または一覧表示画面上に強調表示させるように構成されている。したがって、この検索画面１６３によれば、必要とする患者の現在位置を即座に確認できるという利点がある。
【００２２】
なお、上記実施形態では、患者の病棟内位置を強調表示するために、特定の位置を相対的に明るく表示し、他の区域を相対的に暗く表示しているが、強調表示の方法はこれに限定されない、例えば、図９に示すように、指定された患者の病棟内位置を太枠や着色によって強調表示（１３７，１３８）したり、ポップアップによって強調表示したりすることも可能である。また、上記実施形態では、強調表示をナースコール親機１４の第１モニタ１４１上で行っているが、これに加えて第２モニタ１４２および／または第３モニタ１５（サブディスプレイ）上で行うこともできる。その他、本発明は、上記実施形態に限定されるものではなく、発明の趣旨を逸脱しない範囲で、各部の構成を適宜変更して実施することも可能である。
【符号の説明】
【００２３】
１    ナースコールシステム
１１    第病棟
１２    ナースコール子機
１３    廊下灯
１４    ナースコール親機
１７    制御機
２１    第２病棟
２２    ナースコール子機
２３    廊下灯
２４    ナースコール親機
２７    制御機
１４１    第１モニタ
１４２    第２モニタ
１４５    レイアウト画面
１４９    検索部
１５０    親機ＣＰＵ
１５３    検索画面
１６４    現在ボタン
１７１    記憶部
【図１】
2017176630.tif 000003
【図２】
2017176630.tif 000004
【図３】
2017176630.tif 000005
【図４】
2017176630.tif 000006
【図５】
2017176630.tif 000007
【図６】
2017176630.tif 000008
【図７】
2017176630.tif 000009
【図８】
2017176630.tif 000010
【図９】
2017176630.tif 000011